(57)【要約】【課題】生鮮植物を持ち運びすることができると共に、展示でき、しかも、実用に耐え得る展示兼用梱包容器を提供することを目的としている。【解決手段】内部に水Ｗを貯留することができると共に、切り花等の生鮮植物Ｓを外部に露出した状態で収納可能な内容器２０と、  内容器２０を収納可能な外容器１０と、  外容器１０外周面に形成され、当該外容器１０の一部を分離できる切り取り片と、を有し、  内容器２０は、内周面が折り加工のみで形成され、  外容器１０は、外部に露出した状態で内容器２０に収納される生鮮植物Ｓを隠蔽するように内容器２０を収納可能であることを特徴としている。【選択図】図３
2018177328.tif 000002
【特許請求の範囲】
【請求項１】
内部に水を貯留することができると共に、切り花等の生鮮植物を外部に露出した状態で収納可能な内容器と、
前記内容器を収納可能な外容器と、
前記外容器外周面に形成され、当該外容器の一部を分離できる切り取り片と、を有し、
前記内容器は、内周面が折り加工のみで形成され、
前記外容器は、外部に露出した状態で前記内容器に収納される前記生鮮植物を隠蔽するように前記内容器を収納可能である展示兼用梱包容器。
【請求項２】
前記内容器内に挿抜可能に設けられる仕切部材をさらに有し、
前記内容器は、有底で上面が開放された内容器本体と、該内容器本体の上面を閉止する蓋部とを有し、
前記蓋部には、前記生鮮植物を挿入するための第１貫通孔が貫設されてなり、
前記仕切部材は、前記内容器内に貯留する水の面より上方位置に設けられると共に、前記内容器の内周面に当該仕切部材の外周面が当接されて、前記水を密閉状態とし、さらに、前記仕切部材には、前記生鮮植物を挿入するための第２貫通孔が貫設されてなる請求項１に記載の展示兼用梱包容器。
【請求項３】
前記外容器は、防水処理が施されていない請求項１又は２に記載の展示兼用梱包容器。
【発明の詳細な説明】
【技術分野】
【０００１】
本発明は、儀式典礼用、観賞用等に供される生鮮植物を持ち運びすることができると共に、展示できる展示兼用梱包容器に関する。
【背景技術】
【０００２】
従来の展示兼用梱包容器として、例えば特許文献１に記載のような展示兼用梱包容器が知られている。この展示兼用梱包容器は、上面を開放した有底で、且つ、防水処理を施した展示兼用梱包容器本体と、展示兼用梱包容器本体外周面に形成され、当該展示兼用梱包容器本体の一部を分離できる切り取り片とを有し、切り花等の生鮮植物を運搬する際、当該生鮮植物を展示兼用梱包容器本体内に隠蔽するように収納し、該生鮮植物を展示する際、その収納状態のままで展示兼用梱包容器本体の一部を切り取り片によって分離し、展示兼用梱包容器本体内に収納されている生鮮植物の一部を露出させることで、展示してなるものである。
【先行技術文献】
【特許文献】
【０００３】
【特許文献１】特開２０１３−２２４１６２号公報
【発明の概要】
【発明が解決しようとする課題】
【０００４】
上記のような展示兼用梱包容器は、生鮮植物を運搬することができると共に、展示することができるものの、展示兼用梱包容器本体を組み立てるにあたって、糊代に側板の裏面の一部を貼り合わせたり、糊代に底板の表面の一部を貼り合わせたりすることによって、展示兼用梱包容器本体を組み立てているため、この貼り合わせ部分から水が漏れ出し、実用に耐え得るものではないという問題があった。
【０００５】
そこで本発明は、上記問題に鑑み、生鮮植物を持ち運びすることができると共に、展示でき、しかも、実用に耐え得る展示兼用梱包容器を提供することを目的としている。
【課題を解決するための手段】
【０００６】
上記課題を解決するための手段は、以下の手段によって達成される。なお、括弧内は、後述する実施形態の参照符号を付したものであるが、本発明はこれに限定されるものではない。
【０００７】
請求項１に係る展示兼用梱包容器は、内部に水（Ｗ）を貯留することができると共に、切り花等の生鮮植物（Ｓ）を外部に露出した状態で収納可能な内容器（２０）と、
前記内容器（２０）を収納可能な外容器（１０）と、
前記外容器（１０）外周面に形成され、当該外容器（１０）の一部を分離できる切り取り片（１３）と、を有し、
前記内容器（２０）は、内周面が折り加工のみで形成され、
前記外容器（１０）は、外部に露出した状態で前記内容器（２０）に収納される前記生鮮植物（Ｓ）を隠蔽するように前記内容器（２０）を収納可能であることを特徴としている。
【０００８】
また、請求項２に係る展示兼用梱包容器は、上記請求項１に記載の展示兼用梱包容器において、前記内容器（２０）内に挿抜可能に設けられる仕切部材（３０）をさらに有し、
前記内容器（２０）は、有底で上面が開放された内容器本体（２１）と、該内容器本体（２１）の上面を閉止する蓋部（２２）とを有し、
前記蓋部（２２）には、前記生鮮植物（Ｓ）を挿入するための第１貫通孔（貫通孔２３）が貫設されてなり、
前記仕切部材（３０）は、前記内容器（２０）内に貯留する水（Ｗ）の面より上方位置に設けられると共に、前記内容器（２０）の内周面に当該仕切部材（３０）の外周面が当接されて、前記水（Ｗ）を密閉状態とし、さらに、前記仕切部材（３０）には、前記生鮮植物（Ｓ）を挿入するための第２貫通孔（貫通孔３１ａ）が貫設されてなることを特徴としている。
【０００９】
一方、請求項３に係る展示兼用梱包容器は、上記請求項１又は２に記載の展示兼用梱包容器において、前記外容器（１０）は、防水処理が施されていないことを特徴としている。
【発明の効果】
【００１０】
次に、本発明の効果について、図面の参照符号を付して説明する。なお、括弧内は、後述する実施形態の参照符号を付したものであるが、本発明はこれに限定されるものではない。
【００１１】
請求項１の発明によれば、内容器（２０）は、内部に水（Ｗ）を貯留することができ、さらに、内周面が折り加工のみで形成されているから、従来のように貼り合わせ部分から水漏れが発生する事態を防止することができる。
【００１２】
また、外容器（１０）は、外部に露出した状態で内容器（２０）に収納される生鮮植物（Ｓ）を隠蔽するように内容器（２０）を収納可能としているから、展示兼用梱包容器（１）を運搬する際、生鮮植物（Ｓ）を傷めず持ち運びすることができる。そしてさらには、切り取り片（１３）によって外容器（１０）の一部を分離するだけで、生鮮植物（Ｓ）の一部が露出することとなるから、外容器（１０）内に生鮮植物（Ｓ）を収納させた状態のまま、当該生鮮植物（Ｓ）を展示することができる。
【００１３】
しかして、本発明によれば、生鮮植物を持ち運びすることができると共に、展示でき、しかも、実用に耐え得るようにすることができる。
【００１４】
一方、請求項２の発明によれば、仕切部材（３０）により水（Ｗ）を内容器（２０）内に密閉させているから、外部に水が漏れ出す可能性は低いものの、生鮮植物（Ｓ）が挿入される仕切部材（３０）に貫設されている第２貫通孔（貫通孔３１ａ）より、水が漏れ出す可能性があるため、内容器本体（２１）に設けられた蓋部（２２）により上面を閉止するようにすれば、内容器（２０）から外部に水が漏れ出す事態を低減することができる。
【００１５】
また、請求項３の発明によれば、外容器（１０）は、防水処理が施されていないから、防水処理を施した際、絵や模様あるいは広告などを印刷できないという問題がなくなり、もって、自由に絵や模様あるいは広告などを印刷することができる。
【図面の簡単な説明】
【００１６】
【図１】本発明の一実施形態に係る展示兼用梱包容器の分解斜視図である。
【図２】（ａ）〜（ｃ）は、同実施形態に係る開放された外容器本体の上面を蓋部にて閉止する工程を示した斜視図である。
【図３】同実施形態に係る展示兼用梱包容器内に生鮮植物を収納した状態を示す縦断面図である。
【図４】同実施形態に係る外容器を展開した１枚のシート体を示す平面図である。
【図５】（ａ）は、図４に示すシート体を折り曲げて角筒状に形成した斜視図を示し、（ｂ）は、（ａ）の状態から略立方体又は略直方体を形成する状態を示す斜視図である。
【図６】同実施形態に係る内容器を展開した１枚のシート体を示す平面図である。
【図７】（ａ）〜（ｂ）は、図６に示すシート体を折り曲げて内容器を組み立てる工程を示した斜視図である。
【図８】（ａ）は、図７（ｂ）に示すように組み立てた内容器内に仕切部材を挿入する状態を示す斜視図、（ｂ）〜（ｃ）は、仕切部材が挿入された内容器本体の上面を蓋部にて閉止する工程を示した斜視図である。
【図９】図３に示す状態から切り取り片を外容器から分離する状態を示す斜視図を示し、（ｂ）は、切り取り片を外容器から完全に分離し、外容器の一部を分離した状態を示す斜視図である。
【発明を実施するための形態】
【００１７】
以下、本発明に係る展示兼用梱包容器の一実施形態を、図面を参照して具体的に説明する。なお、以下の説明において、上下左右の方向を示す場合には、図示正面から見た場合の上下左右をいうものとする。
【００１８】
図１に示すように、本実施形態に係る展示兼用梱包容器１は、外容器１０と、外容器１０内に収納可能な有底の逆四角錐体からなる内容器２０とで構成されている。この外容器１０は、図１に示すように、上面が開放された有底の略立方体又は略直方体からなる外容器本体１１と、開放された外容器本体１１の上面を閉止可能な蓋部１２とで構成されている。この外容器本体１１には、略中央部外周面全面に亘って、ミシン目等の切り取り線１３ａを介して細長の切り取り片１３が連設されており、この切り取り片１３は、切り取り線１３ａに沿って外容器本体１１より分離できるようになっている。これにより、外容器１０の一部が分離できるようになっている（図９参照）。そしてさらに、この外容器本体１１の上面には、図１及び図２に示すように蓋部１２が連設されており、この蓋部１２により開放された外容器本体１１の上面が閉止できるようになっている。なお、外容器本体１１の上面を蓋部１２にて閉止する方法は、後述することとする。
【００１９】
一方、内容器２０は、図１及び図７に示すように、上面が開放された有底の逆四角錐体からなる内容器本体２１と、開放された内容器本体２１の上面を閉止可能な蓋部２２とで構成されている。図１に示すように、この蓋部２２に円形状の貫通孔２３が貫設されており、図３に示すように水Ｗを貯留できるようになっている。そして、図３に示すように、この貫通孔２３には、花束等の生鮮植物Ｓが挿入されることとなり、もって、その生鮮植物Ｓが内容器２０より突出した状態、すなわち、外部に露出した状態で内容器２０に収納されることとなる。なお、内容器２０は、少なくとも内部に防水処理が施されており、内部に水を貯留できるようになっている。防水処理としては、例えば、高分子化合物塗料を吹き付けたり、樹脂フィルムを貼り付けたり等の方法がある。
【００２０】
ここで、より詳しく、外容器１０及び内容器２０について説明する。まず、図４及び図５を参照して外容器１０について説明する。外容器１０は、図４に示すように、防水処理が施されていない紙や樹脂等の可撓性のある材質からなる略矩形状の１枚のシート体Ａからなる。このシート体Ａは、左側面から長手方向に向って、所定間隔置きに、上側面から下側面に向って折り曲げ線１０ａ，１０ｂ，１０ｃ，１０ｄが直線状に形成されている。そしてさらに、このシート体Ａには、左側面から長手方向に向って、折り曲げ線１０ａ〜１０ｄと直交する方向に、折り曲げ線１０ａ〜１０ｄの下部と接触する直線状の折り曲げ線１０ｅが形成されると共に、折り曲げ線１０ａ〜１０ｄの上部と接触する直線状の折り曲げ線１０ｆが形成されている。これにより、折り曲げ線１０ａと折り曲げ線１０ｅと折り曲げ線１０ｂと折り曲げ線１０ｆとによって矩形状の第１側部１１ａが区画され、折り曲げ線１０ｂと折り曲げ線１０ｅと折り曲げ線１０ｃと折り曲げ線１０ｆとによって矩形状の第２側部１１ｂが区画され、折り曲げ線１０ｃと折り曲げ線１０ｅと折り曲げ線１０ｄと折り曲げ線１０ｆとによって矩形状の第３側部１１ｃが区画され、折り曲げ線１０ｄと折り曲げ線１０ｅとによって矩形状の第４側部１１ｄが区画されることとなる。なお、第１側部１１ａ、第２側部１１ｂ、第３側部１１ｃ、第４側部１１ｄの上部側（折り曲げ線１０ｅよりも下側）には、長手方向に向かって、切り取り線１３ａを介して細長の切り取り片１３が直線状に連設されている。
【００２１】
一方、第１側部１１ａの左側面（折り曲げ線１０ａの左側）には、図４に示すように、切り取り片１３を境として、上部及び下部に略矩形状の糊代１４が連設されている。また、第１側部１１ａの上側面（折り曲げ線１０ｆの上側）には、第１蓋部１２ａが連設されている。この第１蓋部１２ａは、図４に示すように、第１側部１１ａの上側面と連設されている矩形状の第１蓋部本体１２ａ１と、第１蓋部本体１２ａ１の上部に折り曲げ可能に連設されているコ字状の取手部１２ａ２と、第１蓋部本体１２ａ１の上部中央部分に折り曲げ可能に連設されている略台形状の差し込み片１２ａ３とで構成されている。さらに、第１側部１１ａの下側面（折り曲げ線１０ｅの下側）には、略台形状の第１底部１５ａが連設されている。
【００２２】
一方、第２側部１１ｂの上側面（折り曲げ線１０ｆの上側）には、図４に示すように、第２蓋部１２ｂが連設されている。この第２蓋部１２ｂは、図４に示すように、第２側部１１ｂの上側面と連設されている矩形状の第２蓋部本体１２ｂ１と、第２蓋部本体１２ｂ１の上部中央部分に折り曲げ可能に連設されている略台形状の差し込み片１２ｂ２とで構成されている。さらに、第２側部１１ｂの下側面（折り曲げ線１０ｅの下側）には、略矩形状の第２底部１５ｂが連設されている。なお、第２底部１５ｂの長さＨ１は、第１底部１５ａの長さＨ２の約２倍の長さとなっている。
【００２３】
また、第３側部１１ｃの上側面（折り曲げ線１０ｆの上側）には、第３蓋部１２ｃが連設されている。この第３蓋部１２ｃは、図４に示すように、第３側部１１ｃの上側面と連設されている矩形状の第３蓋部本体１２ｃ１と、第３蓋部本体１２ｃ１の上部に折り曲げ可能に連設されているコ字状の取手部１２ｃ２と、第３蓋部本体１２ｃ１の上部に折り曲げ可能に連設されているスリット状の差し込み口１２ｃ３ａを形成するためのスリット片１２ｃ３とで構成されている。さらに、第３側部１１ｃの下側面（折り曲げ線１０ｅの下側）には、略台形状の第３底部１５ｃが連設されている。なお、第３底部１５ｃの長さＨ２は、第１底部１５ａの長さＨ２と同一である。また、このスリット状の差し込み口１２ｃ３ａには、上述の第１蓋部１２ａの差し込み片１２ａ３が挿入されることとなる。
【００２４】
また一方、第４側部１１ｄの上側面（折り曲げ線１０ｆの上側）には、図４に示すように、第４蓋部１２ｄが連設されている。この第４蓋部１２ｄは、図４に示すように、第４側部１１ｄの上側面と連設されている矩形状の第４蓋部本体１２ｄ１と、この第４蓋部本体１２ｄ１と連設されている折り曲げ線１０ｆの中央部分に設けられているスリット状の差し込み口１２ｄ２とで構成されている。さらに、第４側部１１ｄの下側面（折り曲げ線１０ｅの下側）には、略矩形状の第４底部１５ｄが連設されている。なお、第４底部１５ｄの長さＨ２は、第１底部１５ａの長さＨ２及び第３底部１５ｃの長さＨ２と同一であり、第４蓋部本体１２ｄ１の長さＨ１０は、第２蓋部本体１２ｂ１の長さＨ１１の約１／２の長さとなっている。また、このスリット状の差し込み口１２ｄ２には、上述の第２蓋部１２ｂの差し込み片１２ｂ２が挿入されることとなる。
【００２５】
かくして、このように構成されるシート体Ａを用いて、外容器１０を組み立てるには、まず、折り曲げ線１０ａ〜１０ｄに沿って、糊代１４及び第１側部１１ａ〜第４側部１１ｄの夫々をＬ字状に折り曲げ、糊代１４と第４側部１１ｄの一部（外容器本体１１の内周面となる面）を、接着剤等を用いて貼り合わせることで、図５（ａ）に示すような、角筒形状とする。そしてこの状態で、図５（ａ）に示す矢印Ｙ１０方向に、第２底部１５ｂを折り曲げ線１０ｅに沿って平伏するように折り曲げ、その後、図５（ｂ）に示す矢印Ｙ１１方向に、第４底部１５ｄを折り曲げ線１０ｅに沿って平伏するように折り曲げ、図５（ｂ）に示すような略立方体又は略直方体の形状とする。そしてさらに、図５（ｂ）に示す矢印Ｙ１２方向に、第１底部１５ａを折り曲げ線１０ｅに沿って平伏するように折り曲げる。この際、第２底部１５ｂの長さＨ１は、後で折り曲げられた第４底部１５ｄの長さＨ２よりも長いため、第１底部１５ａの一部が第２底部１５ｂに隠蔽されず露出していることとなるから、その露出部分に第１底部１５ａを、接着剤等を用いて貼り合わせ、第１底部１５ａを第２底部１５ｂに固着させる。
【００２６】
一方、図５（ｂ）に示す矢印Ｙ１３方向に、第３底部１５ｃを折り曲げ線１０ｅに沿って平伏するように折り曲げると、第３底部１５ｃが先に平伏するように折り曲げた第４底部１５ｄの一部に重なることとなるから、その重なり部分に第３底部１５ｃを、接着剤等を用いて貼り合わせ、第３底部１５ｃを第４底部１５ｄに固着させる。これにより、図１に示すような、上面が開放された有底の略立方体又は略直方体からなる外容器本体１１が構成され、第１蓋部１２ａと第２蓋部１２ｂと第３蓋部１２ｃと第４蓋部１２ｄとで構成された蓋部１２が構成され、もって、外容器１０が組み立てられることとなる。
【００２７】
ところで、この蓋部１２を用いて、開放された外容器本体１１の上面を閉止するには、図２（ａ）に示すように、先ず、第４蓋部本体１２ｄ１を折り曲げ線１０ｆに沿って平伏するように矢印Ｙ１方向に折り曲げ、次いで、この第４蓋部本体１２ｄ１の長さＨ１０（図４参照）よりも長い（長さＨ１１（図４参照））第２蓋部本体１２ｂ１を折り曲げ線１０ｆに沿って平伏するように矢印Ｙ２方向に折り曲げる。これにより、第４蓋部本体１２ｄ１の上面が全て第２蓋部本体１２ｂ１に覆われこととなる。そしてこの際、第４蓋部１２ｄの差し込み口１２ｄ２に、第２蓋部１２ｂの差し込み片１２ｂ２を挿入するようにすれば、図２（ｂ）及び図３に示すように、開放された外容器本体１１の上面が閉止されることとなる。次いで、図２（ｂ）に示すように、第１蓋部１２ａの取手部１２ａ２と、第３蓋部１２ｃの取手部１２ｃ２とを重ね合わせるように、第１蓋部本体１２ａ１を折り曲げ線１０ｆに沿って矢印Ｙ３方向に折り曲げ、第３蓋部本体１２ｃ１を折り曲げ線１０ｆに沿って矢印Ｙ４方向に折り曲げる。この際、第３蓋部１２ｃの差し込み口１２ｃ３ａに第１蓋部１２ａの差し込み片１２ａ３を挿入することにより、図２（ｃ）及び図３に示すように、第１蓋部１２ａの取手部１２ａ２と、第３蓋部１２ｃの取手部１２ｃ２とが重ね合わされた状態で維持されることとなる。この際、図３に示すように、外容器１０内には、外部に露出した状態で内容器２０に収納される生鮮植物Ｓを隠蔽するように内容器２０が収納されることとなるから、この取手部１２ａ２，１２ｃ２を把持することにより、外容器１０内に内容器２０を収納した状態で、展示兼用梱包容器１を持ち運ぶことが可能となる。
【００２８】
次に、外容器１０内に収納される内容器２０の詳細を、図６及び図７を参照して説明する。内容器２０は、図６に示すように、防水処理が施された紙や樹脂等の可撓性のある材質からなる１枚のシート体Ｂからなる。このシート体Ｂは、図６に示すように、頂点Ｔ１〜Ｔ１２を備えた１２角形からなり、この１２角形からなるシート体Ｂには、頂点Ｔ９と頂点Ｔ１０を図示下側から上側に向って直線状に結んだ折り曲げ線２０ａが形成され、頂点Ｔ１と頂点Ｔ１２を図示左側から右側に向って直線状に結んだ折り曲げ線２０ｂが形成され、頂点Ｔ３と頂点Ｔ４を図示上側から下側に向って直線状に結んだ折り曲げ線２０ｃが形成され、頂点Ｔ６と頂点Ｔ７を図示左側から右側に向って直線状に結んだ折り曲げ線２０ｄが形成されている。この折り曲げ線２０ａの右側には、図６に示すように、第１蓋部２２ａが連設されている。この第１蓋部２２ａは、図６に示すように、折り曲げ線２０ａと連設されている矩形状の第１蓋部本体２２ａ１と、第１蓋部本体２２ａ１の右側面に一定間隔をおいて折り曲げ可能に連設されている略三角形状の一対の差し込み片２２ａ２とで構成されている。
【００２９】
一方、折り曲げ線２０ｂの上側には、図６に示すように、第２蓋部２２ｂが連設されている。この第２蓋部２２ｂは、図６に示すように、折り曲げ線２０ｂと連設されている矩形状の第２蓋部本体２２ｂ１と、第２蓋部本体２２ｂ１の略中央部分に一定間隔をおいて貫設された半円状の差し込み穴２２ｂ２と、第２蓋部本体２２ｂ１の上部中央部分に切り欠かれた半円状の半貫通孔２２ｂ３とで構成されている。
【００３０】
またさらに、折り曲げ線２０ｃの左側には、図６に示すように、第３蓋部２２ｃが連設されている。この第３蓋部２２ｃは、図６に示すように、折り曲げ線２０ｃと連設されている矩形状の第３蓋部本体２２ｃ１と、第３蓋部本体２２ｃ１の左側面に一定間隔をおいて折り曲げ可能に連設されている略三角形状の一対の差し込み片２２ｃ２とで構成されている。
【００３１】
そしてさらに、折り曲げ線２０ｄの下側には、図６に示すように、第４蓋部２２ｄが連設されている。この第４蓋部２２ｄは、図６に示すように、折り曲げ線２０ｄと連設されている矩形状の第４蓋部本体２２ｄ１と、第４蓋部本体２２ｄ１の略中央部分に一定間隔をおいて貫設された半円状の差し込み穴２２ｄ２と、第４蓋部本体２２ｄ１の下部中央部分に切り欠かれた半円状の半貫通孔２２ｄ３とで構成されている。
【００３２】
かくして、上記のように構成される第１蓋部２２ａと、第２蓋部２２ｂと、第３蓋部２２ｃと、第４蓋部２２ｄとで、図１に示す蓋部２２が構成されることとなる。なお、第２蓋部２２ｂの半貫通孔２２ｂ３と、第４蓋部２２ｄの半貫通孔２２ｄ３とが突き合わさることによって、図１に示すように、円形状の貫通孔２３が形成されることとなる。
【００３３】
一方、シート体Ｂには、頂点Ｔ１から、頂点Ｔ６と頂点Ｔ７との間（頂点Ｔ６寄りの部分）に向って直線状に形成された折り曲げ線２０ｅと、頂点Ｔ２から、頂点Ｔ８に向って直線状に形成された折り曲げ線２０ｆと、頂点Ｔ３から、頂点Ｔ９と頂点Ｔ１０との間（頂点Ｔ１０寄りの部分）に向って直線状に形成された折り曲げ線２０ｇとが交わる交点Ｋ１が形成されている。また、シート体Ｂには、頂点Ｔ４から、頂点Ｔ９と頂点Ｔ１０との間（頂点Ｔ９寄りの部分）に向って直線状に形成された折り曲げ線２０ｈと、頂点Ｔ５から、頂点Ｔ１１に向って直線状に形成された折り曲げ線２０ｉと、頂点Ｔ６から、頂点Ｔ１と頂点Ｔ１２との間（頂点Ｔ１寄りの部分）に向って直線状に形成された折り曲げ線２０ｊとが交わる交点Ｋ２が形成されている。またさらに、シート体Ｂには、頂点Ｔ７から、頂点Ｔ１と頂点Ｔ１２との間（頂点Ｔ１２寄りの部分）に向って直線状に形成された折り曲げ線２０ｋと、頂点Ｔ８から、頂点Ｔ２に向って直線状に形成された折り曲げ線２０ｌと、頂点Ｔ９から、頂点Ｔ３と頂点Ｔ４との間（頂点Ｔ４寄りの部分）に向って直線状に形成された折り曲げ線２０ｍとが交わる交点Ｋ３が形成されている。そしてさらに、シート体Ｂには、頂点Ｔ１０から、頂点Ｔ３と頂点Ｔ４との間（頂点Ｔ３寄りの部分）に向って直線状に形成された折り曲げ線２０ｎと、頂点Ｔ１１から、頂点Ｔ５に向って直線状に形成された折り曲げ線２０ｏと、頂点Ｔ１２から、頂点Ｔ６と頂点Ｔ７との間（頂点Ｔ７寄りの部分）に向って直線状に形成された折り曲げ線２０ｐとが交わる交点Ｋ４が形成されている。しかして、シート体Ｂには、交点Ｋ１と交点Ｋ２とを図示上側から下側に向って直線状に結んだ折り曲げ線２０ｑが形成され、交点Ｋ２と交点Ｋ３とを図示左側から右側に向って直線状に結んだ折り曲げ線２０ｒが形成され、交点Ｋ３と交点Ｋ４とを図示下側から上側に向って直線状に結んだ折り曲げ線２０ｓが形成され、交点Ｋ４と交点Ｋ１とを図示右側から左側に向って直線状に結んだ折り曲げ線２０ｔ形成されることとなる。
【００３４】
かくして、シート体Ｂには、折り曲げ線２０ａと折り曲げ線２０ｍと折り曲げ線２０ｓ折り曲げ線２０ｎとによって台形状の第１側部２１ａが区画され、折り曲げ線２０ｂと折り曲げ線２０ｅと折り曲げ線２０ｔと折り曲げ線２０ｐとによって第２側部２１ｂが区画され、折り曲げ線２０ｃと折り曲げ線２０ｈと折り曲げ線２０ｑと折り曲げ線２０ｇとによって第３側部２１ｃが区画され、折り曲げ線２０ｄと折り曲げ線２０ｋと折り曲げ線２０ｒと折り曲げ線２０ｊとによって第４側部２１ｄが区画されることとなる。またさらに、シート体Ｂには、折り曲げ線２０ｋと折り曲げ線２０ｍとによって扇形状の第１固着部２４ａが区画され、折り曲げ線２０ｎと折り曲げ線２０ｐとによって扇形状の第２固着部２４ｂが区画され、折り曲げ線２０ｅと折り曲げ線２０ｇとによって扇形状の第３固着部２４ｃが区画され、折り曲げ線２０ｈと折り曲げ線２０ｊとによって扇形状の第４固着部２４ｄが区画されることとなる。そしてさらに、シート体Ｂには、折り曲げ線２０ｑと折り曲げ線２０ｒと折り曲げ線２０ｓと折り曲げ線２０ｔとによって矩形状の底部２５が区画されることとなる。なお、このように区画された第１側部２１ａと、第２側部２１ｂと、第３側部２１ｃと、第４側部２１ｄと、第１固着部２４ａと、第２固着部２４ｂと、第３固着部２４ｃと、第４固着部２４ｄと、底部２５とで、図１に示す内容器本体２１が構成されることとなる。
【００３５】
かくして、このように構成されるシート体Ｂを用いて、内容器２０を組み立てるには、まず、折り曲げ線２０ｑ〜２０ｔに沿って、第１側部２１ａ〜第４側部２１ｄの夫々をＬ字状に折り曲げる。これにより、図７（ａ）に示すように、第１側部２１ａとそれに連設された第１蓋部２２ａが起立状態となり、第２側部２１ｂとそれに連設された第２蓋部２２ｂが起立状態となり、第３側部２１ｃとそれに連設された第３蓋部２２ｃが起立状態となり、第４側部２１ｄとそれに連設された第４蓋部２２ｄが起立状態となり、底部２５の周囲を囲繞する状態となる。この際、第１固着部２４ａは、図７（ａ）に示すように、折り曲げ線２０ｌに沿って２つ折りされ三角形状となった状態で外方に突出され、第２固着部２４ｂは、図７（ａ）に示すように、折り曲げ線２０ｏに沿って２つ折りされ三角形状となった状態で外方に突出され、第３固着部２４ｃは、図７（ａ）に示すように、折り曲げ線２０ｆに沿って２つ折りされ三角形状となった状態で外方に突出され、第４固着部２４ｄは、図７（ａ）に示すように、折り曲げ線２０ｉに沿って２つ折りされ三角形状となった状態で外方に突出されることとなる。
【００３６】
次いで、図７（ａ）に示すように、２つ折りにされ三角形状となった第１固着部２４ａを折り曲げ線２０ｋ，２０ｍに沿って矢印Ｙ２０方向に折り曲げ、２つ折りにされ三角形状となった第２固着部２４ｂを折り曲げ線２０ｎ，２０ｐに沿って矢印Ｙ２１方向に折り曲げ、２つ折りにされ三角形状となった第３固着部２４ｃを折り曲げ線２０ｅ，２０ｇに沿って矢印Ｙ２２方向に折り曲げ、２つ折りにされ三角形状となった第４固着部２４ｄを折り曲げ線２０ｈ，２０ｊに沿って矢印Ｙ２３方向に折り曲げる。この際、第１固着部２４ａを、接着剤等を用いて、第１側部２１ａ（内容器本体２１の外周面となる面）に固着し、第２固着部２４ｂを、接着剤等を用いて、第１側部２１ａ（内容器本体２１の外周面となる面）に固着し、第３固着部２４ｃを、接着剤等を用いて、第３側部２１ｃ（内容器本体２１の外周面となる面）に固着し、第４固着部２４ｄを、接着剤等を用いて、第３側部２１ｃ（内容器本体２１の外周面となる面）に固着するようにすれば、図７（ｂ）に示すように、上面が開放された有底の逆四角錐体からなる内容器本体２１と、開放された内容器本体２１の上面を閉止可能な蓋部２２とで構成された内容器２０が組み立てられることとなる。
【００３７】
しかして、このように組み立てられる内容器２０の内周面は、従来のように貼り合わせ部分がなく、折り加工のみで形成されることとなる。
【００３８】
ここで、図７（ｂ）に示す開放された内容器本体２１の上面を、蓋部２２を用いて、閉止する方法を説明するにあたって、内容器２０の使用方法を説明することによって説明することする。
【００３９】
図８（ａ）に示すように、内容器２０（内容器本体２１）内には、紙や樹脂等の可撓性のある材質からなる仕切部材３０が挿入される。この仕切部材３０は、図８（ａ）に示すように、矩形状の天板３１と、その天板３１の側縁から夫々鉛直下向きに延びる４つの脚片３２，３３，３４，３５とで構成され、天板３１には、略中央部に円形状の貫通孔３１ａが貫設されている。なお、脚片３２，３３，３４，３５は、天板３１に対してＬ字状に折り曲げ可能に形成されている。
【００４０】
このように形成される仕切部材３０は、図３に示すように、その仕切部材３０の脚片３２，３３，３４，３５の外周面が、内容器本体２１の内周面に当接して、内容器本体２１内に載置される。そしてこの状態で、仕切部材３０の貫通孔３１ａより水Ｗが内容器本体２１内に注水されることで、図３に示すように、内容器本体２１内に水Ｗが略密閉（密閉状態）されることとなる。
【００４１】
次いで、図８（ａ）に示すように、第４蓋部本体２２ｄ１を折り曲げ線２０ｄに沿って平伏するように矢印Ｙ３０方向に折り曲げ、次いで、第２蓋部本体２２ｂ１を折り曲げ線２０ｂに沿って平伏するように矢印Ｙ３１方向に折り曲げる。これにより、図８（ｂ）に示すような状態となる。
【００４２】
次いで、図８（ｂ）に示すように、第１蓋部本体２２ａ１を折り曲げ線２０ａに沿って平伏するように矢印Ｙ３２方向に折り曲げ、次いで、第３蓋部本体２２ｃ１を折り曲げ線２０ｃに沿って平伏するように矢印Ｙ３３方向に折り曲げる。この際、第１蓋部２２ａの差し込み片２２ａ２が、第２蓋部２２ｂの一方の差し込み穴２２ｂ２（図示右側）と第４蓋部２２ｄの一方の差し込み穴２２ｄ２（図示右側）に挿入され、第３蓋部２２ｃの差し込み片２２ｃ２が、第２蓋部２２ｂの他方の差し込み穴２２ｂ２（図示左側）と第４蓋部２２ｄの他方の差し込み穴２２ｄ２（図示左側）に挿入されることとなる。これにより、図８（ｃ）に示すように、開放された内容器本体２１の上面を、蓋部２２を用いて閉止することができ、そしてこの際、蓋部２２の中央部分には、第２蓋部２２ｂの半貫通孔２２ｂ３と、第４蓋部２２ｄの半貫通孔２２ｄ３とが突き合わさることによって、円形状の貫通孔２３が形成されることとなる。
【００４３】
かくして、上記のように構成される外容器１０と内容器２０は、次のように使用される。まず、水Ｗが注入された図８（ｃ）に示す内容器２０を、図１に示すように、上面が開放された外容器本体１１内に収納する。そして、図３に示すように、花束等の生鮮植物Ｓを内容器２０の貫通孔２３内に挿入するとともに、仕切部材３０の貫通孔３１ａ内に挿入する。これにより、その生鮮植物Ｓが内容器２０より突出した状態、すなわち、外部に露出した状態で内容器２０に収納されることとなる。なお、生鮮植物Ｓは、図３に示すように、内容器２０より突出した状態、すなわち、外部に露出した状態となっているが、外容器本体１１内に隠蔽されるようになっている。
【００４４】
ところで、仕切部材３０の貫通孔３１ａの径は、図３に示すように、内容器２０の貫通孔２３の径よりも径大となるように形成されている。これにより、生鮮植物Ｓを内容器２０の貫通孔２３より挿入した際、その生鮮植物Ｓを仕切部材３０の貫通孔３１ａ内に挿入し易くすることができる。また、仕切部材３０によって内容器本体２１内の水Ｗが略密閉されていたとしても、仕切部材３０の貫通孔３１ａより水が漏れ出す可能性があるため、内容器本体２１の上面を中央部に貫通孔２３が貫設された蓋部２２によって閉止することにより、内容器本体２１から外部に水が漏れ出す事態を低減することができる。
【００４５】
次いで、内容器２０の貫通孔２３内に花束等の生鮮植物Ｓを挿入するとともに、仕切部材３０の貫通孔３１ａ内に挿入した後、上述したように、図２（ａ）〜（ｃ）に示す工程を経て、開放された外容器本体１１の上面を、蓋部１２を用いて閉止する。これにより、図２（ｃ）に示す状態の取手部１２ａ２，１２ｃ２を把持することにより、外容器１０内に内容器２０を収納した状態で、展示兼用梱包容器１を持ち運ぶことが可能となる。
【００４６】
一方、その生鮮植物Ｓを展示するにあたっては、図９（ａ）に示すように、切り取り線１３ａに沿って切り取り片１３が外容器１０より分離されると、外容器１０の一部が分離されることとなる。これにより、図９（ｂ）に示すように、生鮮植物Ｓの一部が外部に露出することとなるから、外容器１０内に生鮮植物Ｓを収納させた状態のまま、当該生鮮植物Ｓを展示することができる。
【００４７】
しかして、以上説明した本実施形態によれば、内容器２０は、内部に水Ｗを貯留することができ、さらに、内周面が折り加工のみで形成されているから、従来のように貼り合わせ部分から水漏れが発生する事態を防止することができる。
【００４８】
また、外容器１０は、外部に露出した状態で内容器２０に収納される生鮮植物Ｓを隠蔽するように内容器２０を収納可能としているから、展示兼用梱包容器１を運搬する際、生鮮植物Ｓを傷めず持ち運びすることができる。そしてさらには、切り取り片１３によって外容器１０の一部を分離するだけで、生鮮植物Ｓの一部が露出することとなるから、外容器１０内に生鮮植物Ｓを収納させた状態のまま、当該生鮮植物Ｓを展示することができる。
【００４９】
しかして、本実施形態によれば、生鮮植物を持ち運びすることができると共に、展示でき、しかも、実用に耐え得るようにすることができる。
【００５０】
また、本実施形態においては、外容器１０には防水処理が施されていないため、防水処理を施した際、絵や模様あるいは広告などを印刷できないという問題がなくなり、もって、自由に絵や模様あるいは広告などを印刷することができる。
【００５１】
なお、本実施形態に示した形状・寸法等はあくまで例示であり、特許請求の範囲に記載された本発明の要旨の範囲内において、種々の変形・変更が可能である。例えば、本実施形態においては、生鮮植物Ｓとして花束を例示したが、それに限らず、生鮮植物であればどのようなものでも良い。また、本実施形態においては、切り取り片１３を直線状に設ける例を示したが、それに限らず傾斜状、又は、波線状等、種々様々な形状に設計変更可能である。
【符号の説明】
【００５２】
１            展示兼用梱包容器
１０          外容器
１３          切り取り片
１３ａ        切り取り線
２０          内容器
２１          内容器本体
２２          蓋部
２３          貫通孔（第１貫通孔）
３０          仕切部材
３１ａ        貫通孔（第２貫通孔）
Ｗ            水
Ｓ            生鮮植物
【図１】
2018177328.tif 000003
【図２】
2018177328.tif 000004
【図３】
2018177328.tif 000005
【図４】
2018177328.tif 000006
【図５】
2018177328.tif 000007
【図６】
2018177328.tif 000008
【図７】
2018177328.tif 000009
【図８】
2018177328.tif 000010
【図９】
2018177328.tif 000011